(57)【特許請求の範囲】
【請求項１】
櫛歯を適宜間隔に併設してインキ保留部を形成し、軸線に対して平行にインキ導入スリットを設けるとともに、前記インキ導入スリットの対称位置に空気流通溝を設けてなるインキ空気交換部材の中心には、インキ導入芯を挿嵌し、先端にはペン芯を挿嵌しており、前記インキ空気交換部材を一方開口端とし後部をインキ室とする本体容器の先端に挿設して、前記インキ空気交換部材の後端を本体容器内壁に設けられた段部に当接して固定され、本体容器の開口端にホルダーを嵌着させてなる直液式筆記具において、前記インキ導入スリットの後端全体が、前記段部に当接しないことを特徴とする直液式筆記具。
【請求項２】
櫛歯を適宜間隔に併設してインキ保留部を形成し、軸線に対して平行にインキ導入スリットを設けるとともに、前記インキ導入スリットの対称位置に空気流通溝を設けてなるインキ空気交換部材の中心には、インキ導入芯を挿嵌し、先端にはペン芯を挿嵌しており、前記インキ空気交換部材を一方開口端とし後部をインキ室とする本体容器の先端に挿設して、前記インキ空気交換部材の後端を本体容器内壁に設けられた段部に当接して固定され、本体容器の開口端にホルダーを嵌着させてなる直液式筆記具において、インキ空気交換部材の後端面にリブをインキ導入スリットに平行して設けたことを特徴とする直液式筆記具。
【発明の詳細な説明】
【０００１】
【産業上の利用分野】
本発明は、液状インキを本体容器のインキ室に注入し、本体容器の開口端にインキ空気交換部材を挿設してこのインキ空気交換部材の先端にペン芯を挿嵌してなる直液式筆記具、特に万年筆、マーカー、サイペン、水性ボール等の筆記具に関するものである。
【０００２】
【従来の技術】
従来こうした直液式筆記具は、インキ空気交換部材を本体容器の内部に挿入し、設け、固定するには、２種類の方法があり、インキ空気交換部材の最後端の部分に周状に凹溝を設け、本体容器内壁面に凸部を設けて、凹凸嵌合にてインキ空気交換部材を固定している。
もう一種類は、インキ空気交換部材の後端を本体容器内壁面に設けた段部に当接して固定する方法である。
こうした、前者の方法として、インキ空気交換部材の固定方法の先行出願は、実開昭６１−４５１９１号（以下、（イ）とする。）、実開平５−９３８７３号（以下、（ロ）とする。）、実開平５−５８３５９号（以下、（ハ）とする。）がある。
（イ）は、先端にて凹凸嵌合して固定しており、（ロ）・（ハ）は、明細書からは明らかでないが、図より、先端もしくは、後端にて凹凸嵌合している。
したがって、（イ）・（ロ）・（ハ）の固定方法と本願の固定方法は異なるものである。更にこうした固定方法は、特に寸法精度を必要とするのでコスト高にもなる。
【０００３】
後者の方法について、実開平５−６３８８５号（以下、（ニ）とする。）、実開平６−１２０８３号（以下、（ホ）とする。）、特開平９−１１６８１号（以下、（ヘ）とする。）がある。
（二）は、軸筒内部に鍔もしくは段部を設けてインキ調節部材４を当接させ、保持し位置決めを行っている。したがって、インキ調節部材に設けたインキ導入溝は、鍔もしくは段部に当接しているので前記鍔もしくは段部に邪魔され、インキ導入溝の軸線に対して横断面積分の作用をしていないことになる。従って、インキ調節部材へのインキ導入に際し障害となる。
（ホ）は、リブと本体容器の側面で保持されており、インキの流れの問題でリブ本来のインキ誘導機能が十分に生かされなっかったためにこのような構成にしたことの記載がある。しかし、インキ誘導スリットに誘導されるインキの障害は、解決されていない。それは、インキ調節部材がリブに当接保持していることにより、確率的には少ないがリブがインキ誘導スリットに当接する可能性は十分ある。
従って、リブ位置とインキ誘導スリットの位置が合わないようにしなければならない。
【０００４】
そうした場合、インキがインキ誘導スリットに導かれることを阻害することになる。もともと極僅かなスリット断面積である以上この、インキ誘導スリットを障害なく確保することが本来のインキ誘導部材の性能を維持していくために重要である。
（ヘ）は、本体を２段にしてインキ吸蔵体を当接している。効果は、ペン体が飽和状態を超えるようなインキを無くするとともに、ペン体の先溜り現象を防止するためである。しかし、２段の構造ではあるが、かならずインキ誘導溝は本体容器内壁に設けられた段部分に当接され、インキ誘導溝の横断面積を少なからず小さくしている。
したがって、インキ誘導部材へのインキ流動性は悪くなる。
【０００５】
【発明が解決しようとする課題】
以上のように先行技術では、インキ調節部材（インキ空気交換部材）は、本体容器内壁部分に段部分で当接係止する際、インキ導入スリット（インキ誘導溝または、インキ導入溝）を僅かながらも塞いでしまうことがあった。
そして、塞げば当然ながらインキ導入スリットへのインキ流入は本来のインキ空気交換部材の流量とは異なるものとなる。
したがって、本来のインキ導入スリットの働きを有するインキ空気交換部材が望まれる。
【０００６】
こうしたことで、本発明は、本体容器の内壁に段部を設けてインキ調節部材（インキ空気交換部材）を当接してもインキ導入スリットへのインキ流量を横断面積で阻害することのないインキ調節部（インキ空気交換部材）を有する直液式筆記具を提供する。
また、更に、成形しやすく、組立やすいインキ空気交換部材であることを提供するものである。
【０００７】
【課題を解決するための手段】
櫛歯を適宜間隔に併設してインキ保留部を形成し、軸線に対して平行にインキ導入スリットを設けるとともに、前記インキ導入スリットの対称位置に空気流通溝を設けてなるインキ空気交換部材の中心には、インキ導入芯を挿嵌し、先端にはペン芯を挿嵌しており、前記インキ空気交換部材を一方開口端とし後部をインキ室とする本体容器の先端に挿設して、前記インキ空気交換部材の後端を本体容器内壁に設けられた段部に当接して固定され、本体容器の開口端にホルダーを嵌着させてなる直液式筆記具において、前記インキ導入スリットの後端全体が、前記段部に当接しないことを特徴とする直液式筆記具であり、また、櫛歯を適宜間隔に併設してインキ保留部を形成し、軸線に対して平行にインキ導入スリットを設けるとともに、前記インキ導入スリットの対称位置に空気流通溝を設けてなるインキ空気交換部材の中心には、インキ導入芯を挿嵌し、先端にはペン芯を挿嵌しており、前記インキ空気交換部材を一方開口端とし後部をインキ室とする本体容器の先端に挿設して、前記インキ空気交換部材の後端を本体容器内壁に設けられた段部に当接して固定され、本体容器の開口端にホルダーを嵌着させてなる直液式筆記具において、インキ空気交換部材の後端面にリブをインキ導入スリットに平行して設けたことを特徴とする直液式筆記具である。
【０００８】
【実施例】
本発明の第１の実施例を図１、図２、図３、図５から詳細に説明する。
１は、本体容器であり一方を閉塞端、他方を開口端とした筒状で内部を液式インキを収納するインキ室２としている。
また、本体容器１の内部には、インキ空気交換部材３を当接保持する段部８を設けている。
３は、インキ空気交換部材であり、ある一定間隔で櫛歯４を多数有し、櫛歯４と櫛歯４の空間をインキ保留部５として設けられている。
前記インキ空気交換部材３は、相対する位置に空気溝６とインキ導入スリット７を設けている。インキ導入スリット７は、先端の櫛歯４だけを残してインキ空気交換部材３を軸線に対し貫通しており前記インキ導入スリット７の後端はインキ室２と連通している。前記インキ導入スリット７の幅は、０．０５から０．５ｍｍの幅であり、好ましくは、０．１から０．４ｍｍの幅がよい。
前記空気溝６はすべての櫛歯４に設けられており、前記インキ導入スリット７、前記空気溝６、櫛歯４と櫛歯４よりなるインキ保留部５によりインキと空気が交換される。
【０００９】
前記インキ空気交換部材３は、本体容器１の先端開口部に挿嵌される。
また、前記インキ空気交換部材３の中心には、中継芯９が挿入固定されており、インキ空気交換部材３の先端には、ペン芯１０が装着されている。
そして、インキ空気交換部材３の先端を越えて、この先方部分にペン芯ホルダー１１を本体容器１に嵌合固定される。
ここで、インキ空気交換部材３の後端のインキ誘導スリット７が設けられている部分は、否当接部１２としており、インキ誘導スリット７が段部８に当接しないようになっている。
【００１０】
したがって、インキの流れはインキ室２からインキ導入スリット７に導かれてる。この時、インキ導入スリット７の後端、横断面積は組み付け前の状態の横断面積と変わらずインキ導入スリット７は、本来の性能を呈することができる。
本実施例は、否当接部１２は、半円形部分が切り欠かれている。
しかし、図４より前記否当接部１２はインキ導入スリット７より少し幅の広い溝状であってもよい。（図４は、第２の実施例）
【００１１】
インキの流れを概略説明すると、インキは中継芯９の後端と、インキ導入スリット７の両方に流れようとする。
しかし、空気がインキと交換されていないので中継芯９へは、インキの流れは生じない。まずインキは、インキ導入スリット７よりインキ保留部５に回り、ここで空気とインキが交換される。そして、中継芯９はインキを流すことが出来、ペン芯１０へと伝達することが出来る。
本実施例の組み付け状態は、インキ空気交換部材３の中心に中継芯９が挿入固定されており、ペン芯１０はインキ空気交換部材３の先端に面圧入嵌合固定されている。
【００１２】
そして、さらにペン芯１０側よりペン芯ホルダー１１をインキ空気交換部材３の先端部に圧入嵌合固定している。
この、インキ空気交換部材３、中継芯９、ペン芯１０、ペン芯ホルダー１１、を組み付けた状態で本体容器１の開口端に挿入される。
すると、インキ空気交換部材３の後端と段部８は当接し、前記インキ空気交換部材３の先端面と、本体容器１の内壁に設けられた円周状の突起により、インキ空気交換部材３を固定し、更に、ペン芯ホルダー１１と本体容器１の開口端部で凹凸嵌合している。
【００１３】
本発明の第３の実施例について、図６より詳細に説明する。
インキ空気交換部材３の後端には２本のリブ１３が相対するように設けられ、更にインキ導入スリット７と平行に設けられている。前記リブ１３は、本体容器１の内部に設けた段部８と当接固定されているため、インキ導入スリット７と段部８が当接しておらず、インキ室２からインキ導入スリット７に導かれている。この時、インキ導入スリット７の後端、横断面積は組み付け前の状態の横断面積と変わらずインキ導入スリット７、本来の性能を呈することができる。
【００１４】
【効果】
以上のような構成であるので、どの位置でもインキ空気交換部材３のインキ導入スリット７へのインキ流入を横断面積で妨げることなく、本来（設計通り）のインキ空気交換部材３の働きが可能となる。
また、インキ空気交換部材３の金型成形上も容易であり、全体の組み付けも簡単である。
【００１５】
【図面の簡単な説明】
【図１】本発明の第１の実施例の筆記具全体断面図
【図２】本発明の第１の実施例の拡大略半断面図
【図３】本発明の第１の実施例のインキ空気交換部材の斜視図
【図４】本発明の第２の実施例のインキ空気交換部材の斜視図
【図５】本発明の第１の実施例のインキ空気交換部材の拡大断面図
【図６】本発明の第３の実施例のインキ空気交換部材の斜視図
【符号の説明】
１  ：本体容器
２  ：インキ室
３  ：インキ空気交換部材
４  ：櫛歯
５  ：インキ保留部
６  ：空気溝
７  ：インキ導入スリット
８  ：段部
９  ：中継芯
１０  ：ペン芯
１１  ：ペン芯ホルダー
１２  ：否当接部
１３  ：リブ
【図１】
0004008561.tif 000002
【図２】
0004008561.tif 000003
【図３】
0004008561.tif 000004
【図４】
0004008561.tif 000005
【図５】
0004008561.tif 000006
【図６】
0004008561.tif 000007